(57)【要約】【課題】  従来のオイルタービンは、ノズルの噴孔から高圧噴射されたオイルが、タービンインペラの各羽根の半径方向外側へ飛散して、ハウジングのシュラウド壁部内にオイルが溜まるため、オイルタービンの回転を阻害しているという課題があった。【解決手段】  ターボチャージャに組み込まれるオイルタービン６は、タービンインペラ７のハブ外周面からチップ１０に至るまで突出するように設けられる羽根８が、タービンインペラ７の半径方向に対して所定の傾斜角度（θ）だけ、タービンインペラ７の回転方向後退側（回転軸側）に傾けて構成されている。これにより、タービンインペラ７の羽根８に衝突したオイルの噴流が、タービンインペラ７の半径方向外側へ飛散することはない。したがって、タービンインペラ７の半径方向外側へ飛散したオイルが、タービンインペラ７の羽根８の回転を阻害することがなくなる。【選択図】  図１
2014224506.tif 000002
【特許請求の範囲】
【請求項１】
（ａ）駆動対象のシャフト（５）と一体回転可能に連結した環状のハブ（９）、およびこのハブ外周からチップ（１０）まで延びるように構成される羽根（８）を有するインペラ（７）と、
（ｂ）このインペラ（７）の羽根（８）へ向けて流体の噴流を噴射する噴孔（２６）を有し、前記インペラ（７）に回転力を与えるノズル（２１）と
を備え、
前記羽根（８）は、前記インペラ（７）の半径方向に対して所定の傾斜角度（θ）だけ傾いていることを特徴とする流体タービン（６）。
【請求項２】
請求項１に記載の流体タービン（６）において、
前記羽根（８）は、前記インペラ（７）の回転方向後退側に傾いていることを特徴とする流体タービン（６）。
【請求項３】
請求項１または請求項２に記載の流体タービン（６）において、
前記ノズル（２１）は、前記噴孔（２６）の軸線が、前記シャフト（５）の回転軸方向に沿っていることを特徴とする流体タービン（６）。
【請求項４】
請求項１ないし請求項３のうちのいずれか１つに記載の流体タービン（６）において、  前記羽根（８）は、前記ノズル（２１）の噴孔（２６）から噴射される流体の噴流を受ける受け羽根面（７１）を有し、
前記羽根（８）の取付角（θ）は、前記羽根（８）の受け羽根面（７１）に対して前記ノズル（２１）の噴孔（２６）から噴射される流体の噴流が衝突する時に、前記流体の噴流と前記羽根（８）の受け羽根面（７１）との角度が垂直になるように設定されていることを特徴とする流体タービン（６）。
【請求項５】
（ａ）駆動対象のシャフト（５）と一体回転可能に連結した環状のハブ（９）、およびこのハブ外周からチップ（１０）まで延びるように構成される羽根（８）を有するインペラ（７）と、
（ｂ）このインペラ（７）の羽根（８）へ向けて流体の噴流を噴射する噴孔（２６）を有し、前記インペラ（７）に回転力を与えるノズル（２１）と
を備え、
前記ノズル（２１）は、前記噴孔（２６）の軸線が、前記インペラ（７）の回転軸方向に対して所定の傾斜角度（θ）だけ傾いていることを特徴とする流体タービン（６）。
【請求項６】
請求項５に記載の流体タービン（６）において、
前記ノズル（２１）は、前記噴孔（２６）の軸線が、前記インペラ（７）の回転軸側に傾いていることを特徴とする流体タービン（６）。
【請求項７】
請求項５または請求項６に記載の流体タービン（６）において、
前記複数の羽根（８）は、前記インペラ（７）のハブ外周から前記羽根（８）のチップ（１０）まで前記インペラ（７）の半径方向外側に延びるように構成されていることを特徴とする流体タービン（６）。
【請求項８】
請求項５ないし請求項７のうちのいずれか１つに記載の流体タービン（６）において、  前記羽根（８）は、前記ノズル（２１）の噴孔（２６）から噴射される流体の噴流を受ける受け羽根面（７１）を有し、
前記ノズル（２１）の噴射角（θ）は、前記羽根（８）の受け羽根面（７１）に対して前記ノズル（２１）の噴孔（２６）から噴射される流体の噴流が衝突する時に、前記流体の噴流と前記羽根（８）の受け羽根面（７１）との角度が垂直になるように設定されていることを特徴とする流体タービン（６）。
【請求項９】
請求項１ないし請求項８のうちのいずれか１つに記載の流体タービン（６）において、  前記羽根（８）は、前記インペラ（７）の円周方向に所定の間隔で設置された複数の羽根（８）により構成されていることを特徴とする流体タービン（６）。
【請求項１０】
請求項１ないし請求項９のうちのいずれか１つに記載の流体タービン（６）において、  前記複数の羽根（８）は、前記ノズル（２１）の噴孔（２６）から噴射される流体の噴流を受ける受け羽根面（７１）、およびこの受け羽根面（７１）に対して反対側の羽根面（７２）をそれぞれ有し、
前記複数の羽根（８）の各受け羽根面（７１）および各反対側の羽根面（７２）は、その断面が直線で構成されていることを特徴とする流体タービン（６）。
【請求項１１】
請求項１ないし請求項１０のうちのいずれか１つに記載の流体タービン（６）において、
前記噴孔（２６）は、前記ノズル（２１）の円周方向に所定の間隔で設置された複数の噴孔（２６）により構成されていることを特徴とする流体タービン（６）。
【請求項１２】
請求項１１に記載の流体タービン（６）において、
前記複数の噴孔（２６）は、前記ノズル（２１）の円周方向において同一の円周上に設置されて、前記羽根（８）のチップ（１０）よりも半径方向内側で開口した噴孔（２６）出口をそれぞれ有していることを特徴とする流体タービン（６）。
【請求項１３】
請求項１ないし請求項１２のうちのいずれか１つに記載の流体タービン（６）において、
前記駆動対象のシャフト（５）とは、ターボチャージャのタービンシャフト（５）のことであることを特徴とする流体タービン（６）。
【発明の詳細な説明】
【技術分野】
【０００１】
本発明は、例えば過給機等の駆動対象のシャフトの途中に設置された流体タービンに関するもので、特にオイル等の流体の噴流で回転駆動されるオイルタービンを備えたターボチャージャに係わる。
【背景技術】
【０００２】
［従来の技術］
従来より、タービンインペラとコンプレッサインペラとを同軸的に連結するロータシャフトの途中にオイルタービン（流体タービン）を設け、このオイルタービンの側面にノズルを設け、オイルタービンをノズルの噴孔から高圧噴射されるオイル噴流で駆動することにより、ロータシャフトの回転が補助駆動（アシスト）されるように構成された過給システムが提案されている（例えば、特許文献１参照）。
【０００３】
このオイルタービンは、図１４ないし図１６に示したように、ターボチャージャのロータシャフトの外周に一体回転可能に設置されたタービンインペラ１０１、およびこのタービンインペラ１０１の羽根１０６へ向けてオイルの噴流を噴射する噴孔１０３を有し、タービンインペラ１０１に回転力を与えるノズル１０２とを備えている。
タービンインペラ１０１は、ロータシャフトが貫通する貫通孔１０４を有する円筒状のハブ１０５と、このハブ１０５の外周面上において円周方向に等間隔（等ピッチ）で列設された複数の羽根１０６とを備えている。
タービンインペラ１０１の各羽根１０６は、入射されるオイルに向かって開口するＵ字状またはカップ状を呈するように形成されて、これらのタービンインペラ１０１の各羽根１０６にオイルが当たることにより、ロータシャフトが補助駆動される。
【０００４】
［従来の技術の問題点］
ところで、オイルタービンでは、タービンインペラ１０１の各羽根１０６に噴射されたオイルがそのＵ字状またはカップ状の表面に沿ってリターンし、入射の向きとほぼ逆向きに排出されるようにするのが好ましい。
ところが、従来（特許文献１に記載）のオイルタービンは、ノズル１０２の噴孔１０３から高圧噴射されたオイルが、タービンインペラ１０１の各羽根１０６の回転に伴う遠心力の作用で、タービンインペラ１０１の各羽根１０６の半径方向外側へ向かう流れが発生し、タービンインペラ１０１の各羽根１０６の半径方向外側へ飛散する（図１６の斜線矢印参照）。このため、オイルの排出性が悪化し、ハウジングのシュラウド壁部（図示せず）内にオイルが溜まり易くなる。これにより、オイルタービンの駆動効率が低下し、オイルタービンの回転を阻害しているという問題がある。
【０００５】
一方、ペルトン水車のような形状のオイルタービン（流体タービン）をオイル噴流で駆動する過給システムも提案されている（例えば、特許文献２参照）。
この従来（特許文献２に記載）のオイルタービンは、オイル噴流がタービンインペラの両側面に排出されるため、そのための場所が必要になり、ロータシャフトを回転軸方向に延長し、ハウジングを大きくする必要がある。
また、オイル噴流を噴射するノズルを構成するためのオイル噴射ケースは、タービンインペラの直径よりも大きくしなければならず、このようなオイル噴射ケースを搭載するためにも、ハウジングが大型化するという問題がある。
【０００６】
ここで、流水の運動エネルギーが水車羽根に作用するターゴインパルス水車が知られている。このターゴインパルス水車の水車羽根は、噴流（水流）が半径方向に飛散しないように湾曲した形状となっている。
ノズルより高速度で噴射される噴流は、水車羽根に入射すると向きを反らされ、反対側の面より排出される。このとき、ランナに加わる衝撃がランナの回転させる力となり、回転軸を介して運動エネルギーを取り出すことができるので、高効率を実現している。
しかるに、水等の流体の排出性能に優れているが、水車羽根の形状が複雑なため、ターボチャージャのオイルタービンとして採用しようとすると、ターボチャージャ内に搭載することが可能な大きさで水車羽根を製作することが非常に困難である。
【先行技術文献】
【特許文献】
【０００７】
【特許文献１】特公昭５９−０５１６４９号公報
【特許文献２】特開平０８−１２１１８２号公報
【発明の概要】
【発明が解決しようとする課題】
【０００８】
本発明の目的は、インペラの半径方向外側へ流体が飛散するのを抑制することで、流体がインペラの羽根の回転を阻害するのを防止することのできる流体タービンを提供することにある。
【課題を解決するための手段】
【０００９】
請求項１に記載の発明（流体タービン）によれば、インペラのハブ外周からチップまで延びるように構成される羽根が、インペラの半径方向に対して所定の傾斜角度（θ）だけ傾けて構成されている。
これによって、ノズルの噴孔から噴射される流体の噴流が衝突する、インペラの羽根の面（例えば受け羽根面）が、インペラの半径方向から所定の傾斜角度（θ）だけ傾いているので、インペラの羽根に衝突した、流体の噴流が、インペラの半径方向外側へ飛散することなく、インペラの羽根の面（例えば受け羽根面）に沿って下流側（羽根の後縁側）へ流れる。これにより、流体の排出性が向上し、インペラの駆動効率が向上する。
したがって、インペラの半径方向外側へ飛散した流体が、インペラの羽根の回転を阻害することがなくなる。
【００１０】
請求項５に記載の発明（流体タービン）によれば、インペラの羽根へ向けて流体の噴流を噴射するノズルの噴孔の軸線が、インペラの回転軸方向に対して所定の傾斜角度（θ）だけ傾けて構成されている。例えばノズルの噴孔の軸線が、インペラの羽根に垂直な方向に対して斜め下向き（または斜め上向き）に傾けて構成されている。
これによって、ノズルの噴孔から噴射される流体の噴流が、インペラの羽根に垂直な方向に対して斜め下向き（または斜め上向き）に衝突するので、インペラの羽根に衝突した、流体の噴流が、インペラの半径方向外側へ飛散することなく、インペラの羽根の面に沿って下流側（羽根の後縁側）へ流れる。これにより、流体の排出性が向上し、インペラの駆動効率が向上する。
したがって、インペラの半径方向外側へ飛散した流体が、インペラの羽根の回転を阻害することがなくなる。
なお、インペラの羽根は、従来の過給機と同様に、インペラの半径方向から傾けなくても良い。
【００１１】
請求項１０に記載の発明によれば、回転軸方向の羽根の断面形状は、切削加工または研削加工でインペラの羽根を製作できるように、インペラの羽根を回転軸方向に対して垂直な断面で見ると、ノズルの噴孔から噴射される流体の噴流を受ける受け羽根面と、この受け羽根面に対して反対側の羽根面との断面が直線で構成されている。
これによって、エンドミルやカッタ等の切削工具を用いてインペラの羽根を切削加工または研削加工で製作することが可能となり、しかもインペラの直径を大型化することなく、インペラのハブ外周に羽根を形成することができるので、流体タービン全体の小型化が可能になる。したがって、インペラを収容するハウジングを大型化しなくても、駆動対象（例えば過給機等）のシャフトに流体タービンを構成することができる。
【図面の簡単な説明】
【００１２】
【図１】タービンインペラの羽根角を示した説明図である（実施例１）。
【図２】オイルタービンを備えたターボチャージャを示した断面図である（実施例１）。
【図３】（ａ）はオイルタービンを示した断面図で、（ｂ）はノズルとシュラウドを一体化したスリーブ部材を示した断面図である（実施例１）。
【図４】ノズルとシュラウドを一体化したスリーブ部材を示した断面図である（実施例１）。
【図５】（ａ）、（ｂ）はタービンインペラの羽根に対するオイル噴流を示した平面図、側面図である（実施例１）。
【図６】タービンインペラの羽根に対するオイル噴流を示した説明図である（実施例１）。
【図７】（ａ）、（ｂ）はタービンインペラの羽根に対するオイル噴流を示した平面図、斜視図である（実施例１）。
【図８】タービンインペラの切削工程を示した説明図である（実施例１）。
【図９】（ａ）、（ｂ）はタービンインペラの切削工程を示した説明図である（実施例１）。
【図１０】ノズル噴射角を示した説明図である（実施例２）。
【図１１】（ａ）、（ｂ）はタービンインペラの羽根に対するオイル噴流を示した平面図、側面図である（実施例２）。
【図１２】（ａ）、（ｂ）はタービンインペラの羽根に対するオイル噴流を示した斜視図、側面図である（実施例２）。
【図１３】（ａ）、（ｂ）はタービンインペラの羽根に対するオイル噴流を示した説明図である（実施例２）。
【図１４】タービンインペラの羽根に対するオイル噴流を示した説明図である（従来の技術）。
【図１５】（ａ）、（ｂ）はタービンインペラに対するオイル噴流を示した平面図、側面図である（従来の技術）。
【図１６】タービンインペラの羽根とオイル噴流との角度を示した説明図である（従来の技術）。
【発明を実施するための形態】
【００１３】
以下、本発明の実施の形態を、図面に基づいて詳細に説明する。
【実施例】
【００１４】
［実施例１の構成］
図１ないし図９は、本発明の流体タービンを適用したオイルタービンを備えたターボチャージャ（実施例１）を示したものである。
【００１５】
本実施例の内燃機関（エンジン）には、吸気コンプレッサ１のコンプレッサインペラ２で圧縮された吸気をエンジンの気筒内に強制的に送り込むターボチャージャ（駆動対象）が搭載されている。
エンジンの各気筒毎の燃焼室には、吸気ポートおよび排気ポートがそれぞれ連通している。また、エンジンの各気筒の吸気ポートには、インテークマニホールドを介して、吸気が流れる吸気管が接続されている。また、エンジンの各気筒の排気ポートには、エキゾーストマニホールドを介して、排気が流れる排気管が接続されている。
【００１６】
インテークマニホールドに接続される吸気管には、エアクリーナ、ターボチャージャの吸気コンプレッサ１およびスロットルバルブ等が設置されている。
エキゾーストマニホールドに接続される排気管には、ターボチャージャの排気タービン３、排気浄化装置（触媒等）およびマフラー等が設置されている。
【００１７】
ターボチャージャは、吸気コンプレッサ１、排気タービン３、およびドライバーの加速要求時に、吸気コンプレッサ１のコンプレッサインペラ（駆動対象、羽根車）２と排気タービン３のタービンインペラ（羽根車）４とを連結するロータシャフト５の回転を、図示しないオイルポンプ（油圧発生源）から供給される作動油（オイル）により補助駆動するオイルタービン（流体タービン）６を備えている。
【００１８】
オイルタービン６は、ロータシャフト５の回転軸周りに回転可能とし、タービンインペラ（羽根車）７の外周に複数のタービンブレード（タービン翼：以下羽根）８が設置されている。
複数の羽根８は、タービンインペラ７のハブ９の外周面からチップ（外周端）１０まで延びる（突出する）ように設けられている。
【００１９】
ターボチャージャは、タービンインペラ４が排気のエネルギーにより回転駆動され、コンプレッサインペラ２が回転し、このコンプレッサインペラ２が吸気を圧縮して、エンジンの気筒内に送り込む過給機（内燃機関の過給機）である。このターボチャージャは、ロータシャフト５の径大部のラジアル荷重を支持するラジアル軸受１１、１２と、ロータシャフト５の径小部のスラスト荷重を支持するスラスト軸受１３とを備えている。
【００２０】
ターボチャージャは、ラジアル軸受１１、１２を支持するラジアル軸受部を有するセンターハウジング（以下ハウジング１４）と、スラスト軸受１３を支持するスラスト軸受部を有し、タービンインペラ７を回転可能に収容するオイルタービンハウジング（以下ハウジング１５）と、このハウジング１５の嵌合部１６の内周に圧入固定される円筒状（または角筒状）のスリーブ部材１７とを備えている。
【００２１】
スリーブ部材１７には、円環状（または角環状）のノズル２１、円筒状（または角筒状）のシュラウド２２、円環状（または角環状）の外周凹溝２３、円筒状（または角筒状）の径大部２４および円筒状（または角筒状）の径小部２５を有している。
ノズル２１には、タービンインペラ７の羽根８へ向けてオイルの噴流を噴射する複数の噴孔２６が貫通形成されている。また、外周凹溝２３内には、オイルポンプによって圧送されるオイルの圧力（油圧）が供給される。
【００２２】
吸気コンプレッサ１は、ロータシャフト５の回転軸周りに回転可能なコンプレッサインペラ２、およびこのコンプレッサインペラ２の周囲を取り囲むように設置されたハウジング３１を備えている。
コンプレッサインペラ２は、タービンインペラ４と同一軸線上に配置されている。このコンプレッサインペラ２は、ロータシャフト５を介して、タービンインペラ４と一体回転可能に連結されている。
コンプレッサインペラ２は、ハウジング３１のシュラウド壁面との間に、子午面形状の吸気流路を形成するハブ３２を有している。
【００２３】
ハブ３２は、ロータシャフト５の周囲を円周方向に取り囲むように形成されている。このハブ３２は、ロータシャフト５の回転軸方向の一端側に形成される外周ねじに螺合する座付きナット３３によりロータシャフト５の外周に締結されている。
ハブ３２の表面上には、前縁側端から後縁側端まで吸気流路の軸線（曲線）に沿うように延長された複数のコンプレッサブレード（コンプレッサ翼：以下羽根）３４が設置されている。
複数の羽根３４は、ハブ３２の円周方向に所定の間隔（例えば等間隔）をおいて設置されている。
【００２４】
ハウジング３１は、金属材料または樹脂材料によって形成されている。このハウジング３１には、コンプレッサインペラ２の周囲を取り囲むようにシュラウド壁が設けられている。ハウジング３１の中央部には、コンプレッサインペラ２を回転可能に収容するホイール収容空間が形成されている。このホイール収容空間の上流側には、コンプレッサインペラ２の回転軸方向の一端側から吸気が流入する吸気導入流路が設けられている。この吸気導入流路の上流端には、吸気入口ポート（吸気入口部）が設けられている。
また、ホイール収容空間の下流側には、コンプレッサインペラ２およびホイール収容空間を渦巻き状に囲むようにスクロール流路が設けられている。このスクロール流路の下流側には、ハウジング３１の外部へ吸気を排出させる吸気排出流路が設けられている。この吸気排出流路の下流端には、吸気出口ポート（吸気出口部）が設けられている。
【００２５】
排気タービン３は、ロータシャフト５の回転軸周りに回転可能なタービンインペラ４、およびこのタービンインペラ４の周囲を取り囲むように設置されたハウジング３５を備えている。
タービンインペラ４は、ハウジング３５のシュラウド壁面との間に、子午面形状の排気流路を形成するハブ（図示せず）を有している。
【００２６】
ハブは、ロータシャフト５の周囲を円周方向に取り囲むように形成されている。このハブは、ロータシャフト５の回転軸方向の他端側に形成される外周ねじに螺合する座付きナット３７によりロータシャフト５の外周に締結されている。
ハブの表面上には、前縁側端から後縁側端まで排気流路の軸線（曲線）に沿うように延長された複数のタービンブレード（タービン翼：以下羽根）３８が設置されている。
複数の羽根３８は、ハブの円周方向に所定の間隔（例えば等間隔）をおいて設置されている。
【００２７】
ハウジング３５は、金属材料によって形成されている。このハウジング３５には、タービンインペラ４の周囲を取り囲むようにシュラウド壁が設けられている。ハウジング３５の中央部には、タービンインペラ４を回転可能に収容するホイール収容空間が形成されている。このホイール収容空間の上流側には、タービンインペラ４およびホイール収容空間を渦巻き状に囲むようにスクロール流路が設けられている。このスクロール流路の上流側には、ハウジング３５の外部から排気が流入する排気導入流路が設けられている。この排気導入流路の上流端には、排気入口ポート（排気入口部）が設けられている。
また、ホイール収容空間の下流側には、タービンインペラ４の回転軸方向の他端側へ排気を排出させる排気排出流路が設けられている。この排気排出流路の下流端には、排気出口ポート（排気出口部）が設けられている。
【００２８】
ここで、エンジンより排出された排気は、ハウジング３５の排気入口ポートから排気導入流路を通ってホイール収容空間の排気流路に流入してタービンインペラ４の羽根３８を回転させる。そして、排気流路を通過した排気は、排気排出流路を通ってハウジング３５の排気出口ポートから外部へ排出される。
一方、例えばエアクリーナを通過した吸気、あるいはＥＧＲ制御弁を通過したＥＧＲガスは、ハウジング３１の吸気入口ポートから吸気導入流路を通ってホイール収容空間の吸気流路内に流入する。そして、吸気流路を通過する際に、コンプレッサインペラ２の羽根３４の回転によって圧縮されて圧力が上昇した吸気は、吸気排出流路を通ってハウジング３１の吸気出口ポートからエンジンの気筒内に送り込まれる。
【００２９】
ハウジング１４は、金属材料によって形成されている。このハウジング１４は、ロータシャフト５の径大部の回転軸方向に延びる軸受孔４１、４２を有している。軸受孔４１、４２内には、ラジアル軸受１１、１２がそれぞれ収容されている。
ハウジング１４には、オイルポンプからラジアル軸受１１、１２へ潤滑油を供給する潤滑油供給部が設けられている。
オイルポンプは、エンジンのクランクシャフト（または電動モータ）によって回転駆動されて、エンジンの各部を潤滑するエンジンオイル（潤滑油）が貯留された貯留槽であるオイルパン（またはオイルタンクでも構わない）内のオイルを吸入し、オイルパンから吸入したオイルを加圧してオイルタービン６側へ圧送する油圧発生手段である。
【００３０】
また、ドライバーの加速要求、自動車等の車両の走行状態やエンジンの運転状況に対応して、エンジン等の駆動手段とオイルポンプとの駆動連結を断続する構成（例えばポンプクラッチ）が設けられている。
なお、オイルとしてラジアル軸受１１、１２とスラスト軸受１３を潤滑する潤滑油を採用しても良い。また、オイルとしてエンジンの摺動部を潤滑する潤滑油（エンジンオイル）を採用しても良い。また、オイルとして自動変速機で使用される作動油（自動変速機油、ＡＴＦ）を採用しても良い。
【００３１】
潤滑油供給部は、オイルポンプの吐出側に接続されるオイル供給流路から潤滑油が供給されるオイル注入口４３、このオイル注入口４３に連通する油路４４、この油路４４から分岐してラジアル軸受１１、１２にそれぞれ潤滑油を供給する油路４５、４６、およびオイルパンへ向けて潤滑油を排出するオイル排出口４７を有している。
なお、オイル注入口４３は、ハウジング１４における重力方向の一方側（天側）の端面で開口している。また、オイル排出口４７は、ハウジング１４における重力方向の他方側（地側）の端面で開口している。
また、オイル注入口４３に流入した潤滑油は、オイル注入口４３と連通する油路（図示せず）を経てスラスト軸受１３に供給される。
【００３２】
ロータシャフト５は、コンプレッサインペラ２およびタービンインペラ４、７と一体回転可能に連結した回転軸である。このロータシャフト５は、ラジアル軸受１１、１２を介して、ハウジング１４に回転可能に支持される径大部、およびこの径大部よりも外径が小さい径小部を有している。ロータシャフト５の中間部、つまり径大部と径小部との間には、円環状の段差５３が設けられている。
スラスト軸受１３は、コンプレッサインペラ２、タービンインペラ７およびスラストカラー５１、５２と共に、ロータシャフト５の段差５３と座付きナット３３との間に挟み込まれて座付きナット３３により共締めされている。
また、コンプレッサインペラ２のハブ３２とスラスト軸受１３との間には、スラストカバー５４およびバッフルプレート５５が設置されている。スラストカバー５４およびバッフルプレート５５は、シールリング等のシール部材と一緒に、スラスト軸受１３を潤滑した潤滑油がコンプレッサ側へ流入するのを阻止すると共に、潤滑油をオイル排出口４７へ導く。
【００３３】
次に、本実施例のオイルタービン６の詳細を図１ないし図９に基づいて簡単に説明する。
オイルタービン６は、ターボチャージャのロータシャフト５と一体回転可能に連結したハブ９を有するタービンインペラ７と、このタービンインペラ７の各羽根８を回転可能に収容するハウジング１５と、このハウジング１５の嵌合部１６に支持されるスリーブ部材１７とを備えている。
タービンインペラ７は、金属材料によって形成されている。このタービンインペラ７は、鋳造成形または鍛造加工により一体形成される鋳造品または鍛造品である。また、タービンインペラ７は、鋳造品または鍛造品に対して所定の切削加工等を施して複数の羽根８がハブ９の外周面上に形成される。
【００３４】
タービンインペラ７の内部には、ロータシャフト５の小径部がその軸線方向（回転軸方向）に貫通する嵌合孔６０が形成されている。また、タービンインペラ７は、スリーブ部材１７のシュラウド２２の内面との間に、所定の形状のオイル噴射流路（オイル噴出流路、液体噴射流路）６１を形成する円環状のハブ９を有している。このハブ９は、ロータシャフト５の周囲を円周方向に取り囲む円筒状のスリーブ６２の一部に設けられている。オイル噴射流路６１は、オイル排出口４７に連通している。
なお、本実施例のタービンインペラ７の羽根８の詳細は、後述する。
【００３５】
ハウジング１５は、金属材料によって形成されている。このハウジング１５には、円筒状のスリーブ部材１７の周囲を部分的に円周方向に取り囲むと共に、スリーブ部材１７の外周を嵌合保持する円筒状の嵌合部１６が設けられている。この嵌合部１６内には、ロータシャフト５の軸線方向（回転軸方向）またはタービンインペラ７の回転軸方向に延びる嵌合孔が形成されている。
ハウジング１５には、オイルパンに貯留されたオイルを汲み上げるオイルポンプからスリーブ部材１７へオイルを供給するオイル供給部（液体供給部）が設けられている。このオイル供給部は、オイルポンプの吐出側に接続されるオイル供給流路からオイルが供給されるオイル注入口６３、このオイル注入口６３とスリーブ部材１７とを連通する油路６４を有している。
【００３６】
スリーブ部材１７は、金属材料によって形成されている。このスリーブ部材１７は、ノズル２１、シュラウド２２、外周凹溝２３、径大部２４および径小部２５を有し、ノズル２１、シュラウド２２、径大部２４および径小部２５を一体部品化（一体化）することで設けられている。
シュラウド２２および径大部２４は、スリーブ部材１７の中で最大外径部を構成し、ハウジング１５の嵌合部１６の内周（嵌合孔の孔壁面）に圧入固定（嵌合固定）される圧入部として使用される。なお、シュラウド２２の外径は、ノズル２１の外径および径大部２４の外径と略一致している。
【００３７】
スリーブ部材１７内には、ロータシャフト５の軸線方向（回転軸方向）またはタービンインペラ７の回転軸方向に延びる軸方向孔６５が形成されている。この軸方向孔６５内には、ロータシャフト５およびタービンインペラ７が回転可能に収容されている。
ノズル２１と径大部２４との間に形成される円環状空間、つまり径小部２５の外周に形成される円環状空間は、油路６４から流入したオイルが円環状に流通可能な外周凹溝２３となっている。この外周凹溝２３は、ノズル２１の上流側に設けられた円環状の周方向油路で、円環状に流れるオイルをノズル２１に設けられる複数の噴孔２６へ分配供給する分配部である。また、外周凹溝２３は、油路６４と複数の噴孔２６とを連通する中継路である。
【００３８】
ノズル２１は、複数の羽根８へ向けてオイルを噴射（噴出）してタービンインペラ７に回転力を与える。このノズル２１には、複数の羽根８へ向けてオイルを噴射（噴出）する複数の噴孔２６が設けられている。
複数の噴孔２６は、ノズル２１の円周方向に所定の間隔で、しかも同一円周上に設けられている。これらの噴孔２６は、複数の羽根８の各チップ１０よりも半径方向内側で開口した噴孔入口、複数の羽根８の各チップ１０よりも半径方向内側で開口した噴孔出口、および噴孔入口と噴孔出口とを連通する噴孔流路を有している。
なお、複数の噴孔２６の噴孔流路の軸線は、ロータシャフト５の回転軸方向に沿っている。
【００３９】
シュラウド２２は、複数の羽根８の全周囲を覆うと共に、複数の羽根８の回転軸方向全体を覆う円筒部である。このシュラウド２２は、タービンインペラ７のハブ外周との間にオイル噴射流路６１を形成する。また、シュラウド２２は、複数の羽根８の各チップ１０との間に、所定の周方向隙間（円筒状のチップクリアランス）を形成する内周面を有している。
シュラウド２２の下流端は、複数の羽根８の各後縁（下流端縁）と同一平面上に配置されている。シュラウド２２の下流端よりも下流側には、オイルが流通可能なオイル排出流路（以下チャンバ）６６が形成されている。このチャンバ６６は、オイル噴射流路６１とオイル排出口４７とを連通している。
【００４０】
次に、本実施例のタービンインペラ７の羽根８の詳細を図１ないし図９に基づいて簡単に説明する。
タービンインペラ７は、ハブ９の外周面からチップ１０まで延びる（突出する）ように複数の羽根８が設置されている。
複数の羽根８は、ハブ９の円周方向外側に所定の間隔（例えば等間隔）をおいて設置されている。これらの羽根８は、上流端縁（前縁側端）と下流端縁（後縁側端）とを直線で結ぶ翼弦長が全て同一となっている。
【００４１】
また、前縁から後縁までの間にくの字状に屈曲する屈曲部が設けられている。屈曲部は、タービンインペラ７の回転方向に対して、凸または凹となる曲がり部である。
複数の羽根８の各上流端縁（前縁側端）は、端部に向かう程、徐々に曲率半径が小さくなるように滑らかな連続曲面で形成されている。また、複数の羽根８の各下流端縁（後縁側端）は、端部に向かう程、徐々に曲率半径が小さくなるように滑らかな連続曲面で形成されている。なお、前縁側端または後縁側端を単純な円弧状面（または半球面）としても良い。
【００４２】
複数の羽根８は、タービンインペラ７の半径方向に対して所定の傾斜角度（θ）だけ傾いている。また、複数の羽根８は、タービンインペラ７の回転方向後退側に傾いている。また、複数の羽根８は、ノズル２１の噴孔２６から噴射されるオイルの噴流を受けるオイル噴流受け羽根面（流体噴流受け羽根面：以下受け羽根面）７１、およびこの受け羽根面７１に対して反対側の羽根面７２をそれぞれ有している。
受け羽根面７１は、タービンインペラ７の回転方向後退側に凹となるような凹曲面とされ、また、反対側の羽根面７２は、タービンインペラ７の回転方向前進側に凸となるような凸曲面とされている。
【００４３】
複数の羽根８の各受け羽根面７１の断面形状は、切削工具による切削加工等で製作できるように直線で構成されている。また、複数の羽根８の各羽根面７２の断面形状は、同じく切削工具による切削加工等で製作できるように直線で構成されている。
複数の羽根８は、オイルの噴流の上流側端である前縁側端、およびオイルの噴流の下流側端である後縁側端よりも中間部の方が肉厚が厚くなっている。また、複数の羽根８は、各受け羽根面７１の曲率半径よりも各反対側の羽根面７２の曲率半径の方が小さくなっている。
なお、羽根８のピッチは、ハブ９の外周方向に等間隔で設けられている場合、「（羽根８の枚数）／３６０°」であるため、羽根８の枚数が１５枚のときは２４°となる。
【００４４】
また、複数の羽根８の取付角（以下羽根取付角：θ）は、図１および図７に示したように、タービンインペラ７の半径方向に対する羽根８の傾斜角度のことであって、複数の羽根８の各受け羽根面７１に対してノズル２１の噴孔２６から噴射されるオイルの噴流が衝突する時に、オイルの噴流と複数の羽根８の各受け羽根面７１との角度が垂直（９０°）になるように設定されている。
また、羽根取付角（θ）は、オイル噴流がタービンインペラ７のハブ外周面で羽根８に衝突する時に、オイル噴流と羽根８との角度が垂直になるようにθを定めるのが最適である。なお、羽根取付角（θ）は、例えば１０°〜２０°の範囲が良く、特に１５°が望ましい。
【００４５】
［実施例１の製造方法］
次に、本実施例のターボチャージャのロータシャフト５の回転をアシスト（補助駆動）するオイルタービン６の製造方法を図１ないし図９に基づいて簡単に説明する。ここで、図８および図９は、オイルタービン６のタービンインペラ７の切削工程を説明する図である。
【００４６】
先ず、オイルタービン６のタービンインペラ７を構成する金属素材（溶湯）を鋳造型のキャビティの中に入れて中間成形体（以下中間製品）を作成し、冷却して固まった中間製品を鋳型のキャビティの中から取り出す鋳造成形を実施する（鋳造工程）。
そして、中間製品の外周部に切削加工を施すことにより、ハブ９の外周面上においてハブ９の円周方向に等間隔で複数の羽根８が形成されたタービンインペラ７を製造する。
【００４７】
ここで、タービンインペラ７の羽根８をタービンインペラ７の回転軸方向に垂直な任意の断面で見ると、タービンインペラ７の羽根８の両羽根面（受け羽根面７１、反対側の羽根面７２）が直線で構成されている。これにより、図８および図９に示したように、カッタ等の切削工具９１、９２による切削加工で複数（羽根８に対応した数）の羽根溝９３を形成することで、タービンインペラ７の羽根８の製造が可能となる。
【００４８】
具体的には、切削工具９１をタービンインペラ７の下流端面（または上流端面）の外周部に当て、タービンインペラ７の下流側端面から上流側端面へ連続的にカッタ等の切削工具９１を移動させることで、羽根８の受け羽根面７１を形成する（切削工程１）。
同様に、切削工具９２をタービンインペラ７の下流端面（または上流端面）の外周部に当て、タービンインペラ７の下流側端面から上流側端面へ連続的にカッタ等の切削工具９１を移動させることで、切削工程１で切削した羽根８よりも回転方向後退側に隣設する羽根８の反対側の羽根面７２を形成する（切削工程２）。
【００４９】
そして、切削工程１と切削工程２を実施して、隣設する羽根８間に残された部分を切削工具９１（または９２）で取り除くことで、隣設する羽根８間に例えばＶ字状断面の羽根溝９３を形成する（切削工程３）。
以上の切削工程１〜３をタービンインペラ７の全周で実施することで、タービンインペラ７の外周に複数の羽根８が設けられる。
なお、切削工具９１、９２は、タービンインペラ７の中間製品に対する切り込み角度が異なるだけで同一の切削工具が使用される。また、切削工具として、ボールエンドミルやエンドミルカッタ等の回転工具を使用しても良い。また、切削工具の切り刃形状は任意である。
【００５０】
［実施例１の作用］
次に、本実施例のオイルタービン６を備えたターボチャージャの作用を図１ないし図９に基づいて簡単に説明する。
【００５１】
ドライバーにより加速要求が成された場合、ポンプクラッチがオンに切り替えられることにより、オイルポンプが作動する。これにより、オイルポンプからオイル注入口６３へ所定の圧力に調圧されたオイルが供給される。
オイル注入口６３に供給されたオイルは、油路６４からスリーブ部材１７の外周凹溝２３に流入し、外周凹溝２３内を円環状に流れる。そして、外周凹溝２３内を円環状に流れるオイルは、ノズル２１に設けられる複数の噴孔２６の各噴孔入口へ分配される。
【００５２】
そして、各噴孔入口へ分配されたオイルは、ノズル２１に設けられる複数の噴孔２６の各噴孔流路を通って、複数の噴孔２６の各噴孔出口からタービンインペラ７の羽根８へ向かって高圧噴射される。これにより、複数の羽根８は、ノズル２１の複数の噴孔２６からオイルの高圧噴流を受けるため、タービンインペラ７に回転力が与えられる。このタービンインペラ７の回転は、ロータシャフト５を介して、吸気コンプレッサ１のコンプレッサインペラ２に伝わる。
したがって、オイルポンプからのオイルの高圧噴流によって、ターボチャージャが補助駆動（アシスト）される。このため、ドライバーによって加速要求が成されてから実過給圧の応答性が改善され、エンジン出力の向上および加速性能が良好となる。
【００５３】
［実施例１の効果］
ここで、従来（特許文献１に記載）のオイルタービンは、図１６に示したように、ノズル１０２の噴孔１０３から高圧噴射されたオイル噴流がタービンインペラ１０１の羽根１０６に衝突する。このとき、オイル噴流とタービンインペラ１０１の各羽根１０６との角度がタービンインペラ１０１の外周方向に向いているので、タービンインペラ１０１の回転に伴う遠心力の作用によってタービンインペラ１０１の各羽根１０６の半径方向外側へ向かう流れが発生し、タービンインペラの１０１の各羽根１０６の半径方向外側へ飛散する。
これによって、オイルの排出性が悪化し、タービンインペラ１０１の周囲を円周方向に取り囲むハウジングのシュラウド壁部内にオイルが溜まり易くなる。このため、オイルタービンの駆動効率が低下するので、オイルタービンの回転が阻害されるという問題があった。
【００５４】
そこで、本実施例のターボチャージャに組み込まれるオイルタービン６においては、図１、図５ないし図７に示したように、タービンインペラ７の半径方向外側へオイルが飛散するのを抑制することで、ノズル２１に設けられる複数の噴孔２６の各噴孔出口から高圧噴射されるオイルがタービンインペラ７の羽根８の回転を阻害するのを防止するという目的で、タービンインペラ７のハブ外周面からチップ１０に至るまで突出するように設けられる羽根８が、タービンインペラ７の半径方向に対して所定の傾斜角度（θ）だけ、タービンインペラ７の回転方向後退側（回転軸側）に傾けて構成されている。
【００５５】
これによって、ノズル２１に設けられる複数の噴孔２６の各噴孔出口から高圧噴射されるオイルの噴流が衝突する、タービンインペラ７に設けられる複数の羽根８の各受け羽根面７１が、タービンインペラ７の半径方向から所定の傾斜角度（θ）だけ、タービンインペラ７の回転方向後退側（回転軸側）に傾いているので、タービンインペラ７の羽根８に衝突した、オイルの噴流が、タービンインペラ７の半径方向外側へ飛散することはない。  これにより、タービンインペラ７に設けられる複数の羽根８の各受け羽根面７１に沿って下流側（羽根８の後縁側端側）へ流れる。この結果、オイルの排出性が向上し、ハウジング１５の嵌合部１６の内周に圧入固定されるスリーブ部材１７のシュラウド２２と羽根８のチップ１０との間にオイルが溜まることはなく、タービンインペラ７の駆動効率が向上する。
したがって、タービンインペラ７の半径方向外側へ飛散したオイルが、タービンインペラ７の羽根８の回転を阻害することがなくなる。
【００５６】
また、タービンインペラ７の回転軸方向の羽根８の断面形状は、切削等による羽根溝加工によってタービンインペラ７の羽根８を製作できるように、タービンインペラ７の羽根８をタービンインペラ７の回転軸方向に対して垂直な断面で見ると、ノズル２１に設けられる複数の噴孔２６の各噴孔出口から高圧噴射されるオイルの噴流を受ける受け羽根面７１と、この受け羽根面７１に対して反対側の羽根面７２との断面が直線で構成されている。
これによって、カッタ等の切削工具９１、９２を用いて、タービンインペラ７に設けられる複数の羽根８を切削加工および研削加工で製作することが可能となり、しかもタービンインペラ７の直径を大型化することなく、タービンインペラ７のハブ外周に羽根を形成することができるので、オイルタービン６全体の小型化が可能になる。
したがって、タービンインペラ７を回転可能に収容するハウジング１５やスリーブ部材１７を大型化しなくても、ターボチャージャのロータシャフト５にオイルタービン６を構成することができる。
【００５７】
［実施例２の構成］
図１０ないし図１３は、本発明の流体タービンを適用したオイルタービン６を備えたターボチャージャ（実施例２）を示したものである。ここで、実施例１と同じ符号は、同一の構成または機能を示すものであって、説明を省略する。また、図１３においては、羽根８は、４枚のみ示し、他の羽根８の記載は省略している。
【００５８】
本実施例のターボチャージャに組み込まれるオイルタービン６においては、実施例１と同様に、ターボチャージャのロータシャフト５と一体回転可能に連結したタービンインペラ７と、このタービンインペラ７の羽根８へ向けてオイルの噴流を噴射するノズル２１とを備えている。
タービンインペラ７のハブ外周面上には、タービンインペラ７のハブ外周からチップ１０までタービンインペラ７の半径方向外側に延びる（突出する）複数の羽根８が設けられている。
【００５９】
ノズル２１は、噴孔２６の軸線が、タービンインペラ７の回転軸方向に対して所定の傾斜角度（θ）だけ、タービンインペラ７の回転軸側に傾けて構成されている。つまり、複数の噴孔２６の各噴孔出口から高圧噴射されるオイルの噴流を斜め下方向に向けてタービンインペラ７の羽根８に衝突させて、タービンインペラ７に回転力を与える。
これによって、オイル噴流とタービン羽根との角度が垂直になるので、オイル噴流が狙い通りに複数の羽根８の各受け羽根面７１に沿って上流側端（前縁側端）から下流側端（後縁側端）へ流れる。
【００６０】
ノズル２１の噴射角（以下ノズル噴射角：θ）は、図１０に示したように、タービンインペラ７の回転軸方向に対して内側に傾けた傾斜角度のことであって、複数の羽根８の各受け羽根面７１に対してノズル２１に設けられる複数の噴孔２６の各噴孔出口から高圧噴射されるオイルの噴流が衝突する時に、オイルの噴流と羽根８の受け羽根面７１との角度が垂直になるように設定されている。
また、ノズル噴射角（θ）は、オイル噴流がタービンインペラ７のハブ外周面で羽根８に衝突する時に、オイル噴流と羽根８との角度が垂直になるようにθを定めるのが最適である。
【００６１】
図１３（ａ）に示したように、θ＝φとすると、オイル噴流と羽根８との角度が最大で９０度になる。
図１３（ａ）の回転位置からタービンインペラ７の回転が進み、図１３（ｂ）の回転位置にタービンインペラ７が到達すると、オイル噴流が隣の羽根８に衝突し、オイル噴流と羽根８とが角度（α）を持つ。
羽根取付ピッチ角をφとすると、ノズル噴射角（θ）は、θ＝φとなるようにθを定めるのが最適である。
したがって、オイル噴流と羽根８との角度を最大９０°にできる。
【００６２】
以上のように、本実施例のターボチャージャに組み込まれるオイルタービン６においては、タービンインペラ７の羽根８へ向けてオイルの噴流を噴射するノズル２１の噴孔２６の軸線が、タービンインペラ７の回転軸方向に対して所定の傾斜角度（θ）だけ傾けて構成されている。すなわち、ノズル２１の噴孔２２の軸線が、タービンインペラ７の羽根８に垂直な方向に対して斜め下向きに傾けて構成されている。
これによって、ノズル２１の噴孔２２から噴射されるオイルの噴流が、タービンインペラ７の羽根８に垂直な方向に対して斜め下向きに衝突するので、実施例１と同様な効果を達成することが可能となる。
【００６３】
［変形例］
本実施例では、本発明のタービンを、内燃機関（エンジン）の気筒から排出される排気のエネルギーを利用して、圧縮した吸気をエンジンの気筒内に送り込むターボチャージャ（ターボ過給機）のロータシャフトの回転をアシストするオイル（油圧）タービンに適用しているが、本発明のタービンを、遠心圧縮機のみで過給機を構成した吸気コンプレッサ１のロータシャフトを回転駆動するオイル（油圧）タービンに適用しても良い。
【００６４】
本実施例では、駆動対象のシャフトとして、ターボチャージャ（過給機）のタービンシャフト（ロータシャフト５）を採用しているが、駆動対象のシャフトとして、発電機、送風機、ポンプ、圧縮機またはプロペラ等の駆動対象のシャフトを採用しても良い。
この場合、本発明の流体タービンのタービンインペラが、発電機、送風機、ポンプ、圧縮機またはプロペラ等の駆動対象のシャフトと一体回転可能に連結したハブを有するタービンインペラとなる。なお、駆動対象のシャフトの外周にタービンインペラのハブが圧入嵌合により組み付けられていても良い。また、駆動対象のシャフトとタービンインペラのハブとが２面幅等の相対回転を防止する構造を備えた状態で、駆動対象のシャフトの外周にタービンインペラのハブが嵌合するように組み付けられていても良い。
【００６５】
また、ロータシャフト５が、コンプレッサインペラ２およびタービンインペラ７と一体回転可能に連結した吸気コンプレッサ側シャフトと、タービンインペラ４と一体回転可能に連結した排気タービン側シャフトとに２分割されていても良い。この場合、吸気コンプレッサ側シャフトと排気タービン側シャフトとの間に、吸気コンプレッサ側シャフトと排気タービン側シャフトとを断続するクラッチ手段を設ける。
【００６６】
タービンインペラ７に一体的に設けられる羽根８の枚数は、１枚でも２枚以上でも構わない。また、複数の羽根８がタービンインペラ７の外周に等間隔（または対称位置）に設けられていなくても構わない。なお、羽根８の枚数が１枚の場合には、羽根８の回転軌跡の全周囲を覆うようにシュラウド２２が設けられる。
実施例１では、複数の羽根８の全部が、タービンインペラ７の半径方向に対して所定の傾斜角度（θ）だけ傾いているが、複数の羽根８のうちの少なくとも１枚または一部が、タービンインペラ７の半径方向に対して所定の傾斜角度（θ）だけ傾いていても良い。
【００６７】
ノズル２１に形成される噴孔２６の個数は、１個でも２個以上でも構わない。また、複数の噴孔２６がノズル２１に等間隔（または対称位置）に設けられていなくても構わない。
実施例２では、ノズル２１に設けられる複数の噴孔２６の全ての軸線が、タービンインペラ７の回転軸方向に対して所定の傾斜角度（θ）だけ傾いているが、複数の噴孔２６のうちの少なくとも１個または一部が、タービンインペラ７の回転軸方向に対して所定の傾斜角度（θ）だけ傾いていても良い。
【００６８】
また、液体として、液体潤滑油または液体燃料を作動油として利用したオイルだけでなく、水、エンジン冷却水やアルコール等を利用しても良い。
また、オイルタービン６のノズル２１に対するオイル供給手段として、エンジン駆動式のオイルポンプの代わりに、電動モータにより回転駆動されるモータ駆動式のオイルポンプを適用しても良い。この場合、オイルポンプとオイル供給部とを連通する流路に電磁式の流路開閉弁を設けて、オイルポンプからオイル供給部へオイルを供給するモードと、オイルポンプからオイル供給部へのオイルの供給を遮断するモードとを、ドライバーの加速要求、自動車等の車両の走行状態やエンジンの運転状況に対応して切り替えるようにしても良い。
【符号の説明】
【００６９】
５  ターボチャージャ（過給機）のロータシャフト
６  オイルタービン
７  タービンインペラ
８  羽根
９  ハブ
１０  チップ
２１  ノズル
２６  噴孔
７１  受け羽根面
７２  反対側の羽根面
【図１】
2014224506.tif 000003
【図２】
2014224506.tif 000004
【図３】
2014224506.tif 000005
【図４】
2014224506.tif 000006
【図５】
2014224506.tif 000007
【図６】
2014224506.tif 000008
【図７】
2014224506.tif 000009
【図８】
2014224506.tif 000010
【図９】
2014224506.tif 000011
【図１０】
2014224506.tif 000012
【図１１】
2014224506.tif 000013
【図１２】
2014224506.tif 000014
【図１３】
2014224506.tif 000015
【図１４】
2014224506.tif 000016
【図１５】
2014224506.tif 000017
【図１６】
2014224506.tif 000018